(57)【要約】【課題】携帯端末を情報表示テーブルの画面に接触させるだけの簡単な操作により、携帯端末との連携を容易にし、データ通信を手軽に行う。【解決手段】情報表示テーブル５は、１つの画面を複数の領域に分割可能な表示部５７と、携帯端末１が表示部５７の画面に近接したときに携帯端末１の固有情報を取得する無線通信部５５と、携帯端末１が接触した表示部５７の画面上の座標（ｘ１，ｙ１）または座標（ｘ１，ｙ１）を含む領域を検知する座標検知部５２と、無線通信部５５により取得した携帯端末１の固有情報を座標検知部５２で検知した座標（ｘ１，ｙ１）または座標（ｘ１，ｙ１）を含む領域に対応付けるＣＰＵ５１とを備える。無線通信部５５は、携帯端末１の固有情報が対応付けられた座標（ｘ１，ｙ１）または座標（ｘ１，ｙ１）を含む領域に応じて、携帯端末１との間で無線を介してデータ通信を行う。【選択図】図２
2013130982.tif 000002
【特許請求の範囲】
【請求項１】
１つの画面を複数の領域に分割可能な表示部を備えた情報表示装置であって、
携帯端末が前記表示部の画面に近接したときに該携帯端末の固有情報を取得する固有情報取得部と、前記携帯端末が接触した前記表示部の画面上の座標または該座標を含む領域を検知する座標検知部と、前記固有情報取得部により取得した前記携帯端末の固有情報を前記座標検知部で検知した座標または該座標を含む領域に対応付ける固有情報対応付け部と、前記携帯端末の固有情報が対応付けられた座標または該座標を含む領域に応じて、前記携帯端末との間で無線を介してデータ通信を行うデータ通信部とを備えたことを特徴とする情報表示装置。
【請求項２】
請求項１に記載の情報表示装置において、前記データ通信部は、前記携帯端末の固有情報が対応付けられた座標または該座標を含む領域にデータが表示されている場合、該データまたは該データの関連データを前記携帯端末に無線を介して送信することを特徴とする情報表示装置。
【請求項３】
請求項１または２に記載の情報表示装置において、前記データ通信部は、前記携帯端末の固有情報が対応付けられた座標または該座標を含む領域にデータが表示されていない場合、前記携帯端末からのデータを無線を介して受信し、前記表示部は、前記データ通信部で受信したデータを前記座標または該座標を含む領域に表示することを特徴とする情報表示装置。
【請求項４】
請求項１〜３のいずれか１項に記載の情報表示装置において、前記携帯端末の固有情報が対応付けられた座標または該座標を含む領域が変化した場合、前記固有情報対応付け部は、前記携帯端末の固有情報を前記変化した後の座標または該座標を含む領域に対応付けることを特徴とする情報表示装置。
【請求項５】
請求項１〜４のいずれか１項に記載の情報表示装置において、前記表示部は、タッチパネルと一体的に構成され、前記座標検知部は、前記携帯端末が前記表示部の画面上に接触したときに前記タッチパネルを介して接触点の座標を検知することを特徴とする情報表示装置。
【請求項６】
請求項１〜５のいずれか１項に記載の情報表示装置において、前記携帯端末の固有情報と前記座標または該座標を含む領域とを対応付けた対応付け情報を記憶する記憶部を備えたことを特徴とする情報表示装置。
【請求項７】
請求項６に記載の情報表示装置において、前記記憶部に前記対応付け情報が記憶されている場合、前記固有情報対応付け部は、前記携帯端末の固有情報が対応付けられた座標または該座標を含む領域と、前記携帯端末以外の他の携帯端末との対応付けを禁止することを特徴とする情報表示装置。
【請求項８】
請求項６に記載の情報表示装置において、該情報表示装置に対する所定の操作が検知された場合、前記固有情報対応付け部は、前記記憶部から前記対応付け情報を削除し、前記携帯端末の固有情報と前記座標または該座標を含む領域との対応付けを解除することを特徴とする情報表示装置。
【発明の詳細な説明】
【技術分野】
【０００１】
本発明は、情報表示装置に関し、より詳細には、各種データを蓄積・表示する機能を備え、スマートフォンなどの携帯端末とデータ連携可能な情報表示装置に関する。
【背景技術】
【０００２】
液晶ディスプレイなどの薄型表示装置では、大画面化が進んでおり、大画面を複数の領域に分割して利用するケースが増えている。また、携帯電話機やスマートフォンなどの携帯端末の普及に伴い、携帯端末と大画面表示装置とを連携させて使用する方法が種々提案されている。例えば、特許文献１には、ネットワーク接続された複数の端末機器における表示画面情報を取得し、取得した表示画面情報を一つの画面上に合成して多画面表示する表示装置が開示されている。
【０００３】
また、特許文献２には、携帯端末と通信可能に接続され、ドラッグ＆ドロップ操作などの直感的な操作で携帯端末との間でデータ転送を実行できるようにした電子掲示装置が開示されている。この電子掲示装置は、携帯端末と通信可能に接続する接続Ｉ／Ｆと、データを画面上に掲示する表示部と、画面上に掲示されたデータに対する操作入力を画面から受け付けるタッチパネルと、タッチパネルが受け付けた操作入力に基づいて画面上のデータを携帯端末へ転送する制御部とを備える。この制御部は、画面上に掲示されたデータがドラッグ操作により画面の外縁部近傍まで移動し、外縁部近傍でドロップ操作されたときに、データを携帯端末へ転送する。
【０００４】
さらに、上記のような大画面表示装置の応用例として、テーブル型の表示装置（コミュニケーションテーブルともいう）が提案されている。このテーブル型表示装置は、複数人により会議等を行う場合に利用される。これによれば、テーブル状の筐体のテーブル面に大画面の液晶ディスプレイを組み込み、この液晶ディスプレイの画面上に必要なデータを表示させながら、テーブルを囲むようにして複数人によって会議等を行うことができる。また、このテーブル型表示装置は、スマートフォンなどの携帯端末と通信する機能を備えている。例えば、ＴｒａｎｓｆｅｒＪｅｔ（登録商標）などの近距離無線転送技術を用いて携帯端末を通信可能に接続することができる。この近距離無線転送技術によれば、２つの機器をかざす（数センチまで接近させる）ことで自動的にデータ転送を行うことができる。
【先行技術文献】
【特許文献】
【０００５】
【特許文献１】特開２００４−５４１３４号公報
【特許文献２】特開２００８−２５７４４２号公報
【発明の概要】
【発明が解決しようとする課題】
【０００６】
上記のようなテーブル型表示装置の使用形態として、複数人が集まり、各自が個別の報告等を行う場合には、１つの大画面よりも、大画面を複数の領域に分割して各自の専用領域として使用できるほうが望ましい。そして、専用領域上に複数のデータが表示されており、その中の１つのデータを選択的に携帯端末に転送する場合や、携帯端末からデータを転送して専用領域の空いている領域に表示させる場合には、画面上の座標と携帯端末とを対応付けることが考えられる。
【０００７】
しかしながら、従来のテーブル型表示装置は、基本的に機器と機器とを１対１で接続することが前提となっており、上記のように、画面上の座標または座標を含む領域を携帯端末に対応付けるという考え方について考慮されていない。このため携帯端末との連携を容易にし、データ通信を手軽に行えるようにはなっていなかった。このことは、上述の特許文献１，２に記載された発明についても同様に考慮されていない。
【０００８】
本発明は、上述のような実情に鑑みてなされたもので、携帯端末を画面に接触させるだけの簡単な操作により、携帯端末との連携を容易にし、データ通信を手軽に行うことができる情報表示装置を提供すること、を目的とする。
【課題を解決するための手段】
【０００９】
上記課題を解決するために、本発明の第１の技術手段は、１つの画面を複数の領域に分割可能な表示部を備えた情報表示装置であって、携帯端末が前記表示部の画面に近接したときに該携帯端末の固有情報を取得する固有情報取得部と、前記携帯端末が接触した前記表示部の画面上の座標または該座標を含む領域を検知する座標検知部と、前記固有情報取得部により取得した前記携帯端末の固有情報を前記座標検知部で検知した座標または該座標を含む領域に対応付ける固有情報対応付け部と、前記携帯端末の固有情報が対応付けられた座標または該座標を含む領域に応じて、前記携帯端末との間で無線を介してデータ通信を行うデータ通信部とを備えたことを特徴としたものである。
【００１０】
第２の技術手段は、第１の技術手段において、前記データ通信部は、前記携帯端末の固有情報が対応付けられた座標または該座標を含む領域にデータが表示されている場合、該データまたは該データの関連データを前記携帯端末に無線を介して送信することを特徴としたものである。
【００１１】
第３の技術手段は、第１または第２の技術手段において、前記データ通信部は、前記携帯端末の固有情報が対応付けられた座標または該座標を含む領域にデータが表示されていない場合、前記携帯端末からのデータを無線を介して受信し、前記表示部は、前記データ通信部で受信したデータを前記座標または該座標を含む領域に表示することを特徴としたものである。
【００１２】
第４の技術手段は、第１〜第３のいずれか１の技術手段において、前記携帯端末の固有情報が対応付けられた座標または該座標を含む領域が変化した場合、前記固有情報対応付け部は、前記携帯端末の固有情報を前記変化した後の座標または該座標を含む領域に対応付けることを特徴としたものである。
【００１３】
第５の技術手段は、第１〜第４のいずれか１の技術手段において、前記表示部は、タッチパネルと一体的に構成され、前記座標検知部は、前記携帯端末が前記表示部の画面上に接触したときに前記タッチパネルを介して接触点の座標を検知することを特徴としたものである。
【００１４】
第６の技術手段は、第１〜第５のいずれか１の技術手段において、前記携帯端末の固有情報と前記座標または該座標を含む領域とを対応付けた対応付け情報を記憶する記憶部を備えたことを特徴としたものである。
【００１５】
第７の技術手段は、第６の技術手段において、前記記憶部に前記対応付け情報が記憶されている場合、前記固有情報対応付け部は、前記携帯端末の固有情報が対応付けられた座標または該座標を含む領域と、前記携帯端末以外の他の携帯端末との対応付けを禁止することを特徴としたものである。
【００１６】
第８の技術手段は、第６の技術手段において、該情報表示装置に対する所定の操作が検知された場合、前記固有情報対応付け部は、前記記憶部から前記対応付け情報を削除し、前記携帯端末の固有情報と前記座標または該座標を含む領域との対応付けを解除することを特徴としたものである。
【発明の効果】
【００１７】
本発明によれば、携帯端末が画面に近接したときに携帯端末の固有情報を取得すると共に、携帯端末が接触した画面上の座標またはその座標を含む領域を検知し、携帯端末の固有情報が対応付けられた座標または領域に応じて、携帯端末との間で無線を介してデータの送受信を行うことができるため、携帯端末を画面に接触させるだけの簡単な操作により、携帯端末との連携を容易にし、データ通信を手軽に行うことができる。
【図面の簡単な説明】
【００１８】
【図１】本発明の一実施形態に係る情報表示装置の外観の一例を示す図である。
【図２】図１に示した携帯端末と情報表示テーブルの構成例を示すブロック図である。
【図３】本発明に係る携帯端末および情報表示テーブルの他の構成例を示すブロック図である。
【図４】本発明に係る情報表示装置の他の例を示す図である。
【図５】本発明に係る情報表示テーブルと携帯端末とのデータ連携方法の一例を説明するためのフロー図である。
【図６】本発明に係る情報表示ボードと携帯端末とのデータ連携方法の一例を説明するためのフロー図である。
【発明を実施するための形態】
【００１９】
以下、添付図面を参照しながら、本発明の情報表示装置に係る好適な実施の形態について説明する。
【００２０】
図１は、本発明の一実施形態に係る情報表示装置の外観の一例を示す図である。図中、１〜４は携帯端末、５は情報表示装置を示す。本例では、携帯端末１〜４として、スマートフォンを例示すると共に、情報表示装置５として、情報表示テーブル（以下、情報表示テーブル５）を例示するものとする。情報表示テーブル５は、テーブルの天面に表示画面が組み込まれたもので、ＰＣ(Personal Computer)と同様の情報処理機能を備える。また、情報表示テーブル５は、１つの表示画面を複数の領域に分割して使用することができる。
【００２１】
この情報表示テーブル５は、例えば、複数人が集まり、各自が個別の報告を行う場合などに、各自に専用領域を設定し、各専用領域をあたかも専用のＰＣのように必要なデータを表示させ、操作することができる専用領域モードと、１つの議題に対して全員で議論を行う場合などに、１つの大画面に必要なデータを表示させ、操作することができる大画面モードとを適宜切り替えて設定することができる。
【００２２】
本例の場合、携帯端末１〜４を使用する４人のユーザに対して、情報表示テーブル５の大画面が専用領域５ａ〜５ｄの４つの領域に分割されている。これらの専用領域５ａ〜５ｄにはそれぞれ個別の演算装置が設けられており、専用領域毎に独立して情報処理を行うことができる。なお、領域の分割数は４つに限定されず、例えば、ユーザが２人であれば２分割にするなど、フレキシブルな領域分割を可能としている。
【００２３】
そして、情報表示テーブル５は、携帯端末１〜４が画面に近接したときに携帯端末１〜４の固有情報を取得すると共に、携帯端末１〜４が接触した画面上の座標またはその座標を含む領域を検知し、携帯端末１〜４の固有情報が対応付けられた座標または領域に応じて、携帯端末１〜４との間で無線を介してデータの送受信を行うことができる。図１の例では携帯端末１の接触した座標は（ｘ１，ｙ１）である。このように、携帯端末１〜４を画面に接触させるだけの簡単な操作により、携帯端末１〜４との連携を容易にし、データ通信を手軽に行うことができる。
【００２４】
図２は、図１に示した携帯端末と情報表示テーブルの構成例を示すブロック図である。本例では、携帯端末１のみを例示しているが、他の携帯端末２〜４についても同様の構成を備えるものとする。携帯端末１は、携帯端末１の動作を制御するＣＰＵ１１と、各種データを記憶する記憶部１２と、携帯端末１の動きを検知するための加速度センサ１３と、情報表示テーブル１との間で近距離無線通信を行う無線通信部１４とを備える。また、情報表示テーブル５は、情報表示テーブル５の動作を制御するＣＰＵ５１と、画面上の座標位置を検知する座標検知部５２と、各種データを記憶する記憶部５３と、表示部５７に対して表示制御を行う表示ドライバ５４と、携帯端末１との間で近距離無線通信を行う無線通信部５５と、表示部５７と一体的に設けられたタッチパネル５６と、液晶ディスプレイなどの表示部５７とを備えている。
【００２５】
ここで、近距離無線通信の具体例としては、前述のＴｒａｎｓｆｅｒＪｅｔ（登録商標）を挙げることができる。情報表示テーブル５と携帯端末１とが数センチ程度まで近接すると、所定の通信プロトコルに従って、接続が確立され、通信可能な状態となる。この際、携帯端末１の無線通信部１４は、携帯端末１の固有情報の一例としてＭＡＣ（Media Access Control）アドレスを送信し、情報表示テーブル５の無線通信部５５は、携帯端末１から送信されたＭＡＣアドレスを受信する。また、情報表示テーブル５の無線通信部５５は、情報表示テーブル５のＭＡＣアドレスを送信し、携帯端末１の無線通信部１４は、情報表示テーブル５から送信されたＭＡＣアドレスを受信する。このように相互にＭＡＣアドレスをやり取りすることで、携帯端末１と情報表示テーブル５との間でデータ通信が可能となる。
【００２６】
また、表示部５７は、タッチ操作を可能とするタッチパネル５６と一体的に構成され、座標検知部５２は、携帯端末１が表示部５７の画面上に接触したときにタッチパネル５６を介して接触点の座標を検知するように構成されている。また、タッチパネル５６は、マルチタッチ入力に対応しており、複数人による同時操作を受け付けることができるようになっている。
【００２７】
また、ＣＰＵ５１では、タッチパネル５６による接触点の座標検知と同時に、携帯端末１の加速度センサ１３が反応したタイミングと、タッチパネル５６が反応したタイミングとが同時であったか否かが判定される。携帯端末１が表示部５７の画面上に接触した際に加速度センサ１３が反応する。この反応時のタイミング信号は無線通信部５５によりＣＰＵ５１に入力される。そして、ＣＰＵ５１は、両者の反応タイミングが一致した場合に、表示部５７の画面上に携帯端末１が接触したと判定する。
【００２８】
本発明の主たる目的は、携帯端末を画面に接触させるだけの簡単な操作により、携帯端末との連携を容易にし、データ通信を手軽に行えるようにすることにある。このための構成として、情報表示テーブル５は、１つの画面を複数の領域に分割可能な表示部５７と、携帯端末１が表示部５７の画面に近接したときに携帯端末１の固有情報を取得する固有情報取得部と、携帯端末１が接触した表示部５７の画面上の座標または座標を含む領域を検知する座標検知部５２と、固有情報取得部により取得した携帯端末１の固有情報を座標検知部５２で検知した座標または座標を含む領域に対応付ける固有情報対応付け部と、携帯端末１の固有情報が対応付けられた座標または座標を含む領域に応じて、携帯端末１との間で無線を介してデータ通信を行うデータ通信部とを備える。
【００２９】
ここで、上記領域とは、図１,２の例では、座標（ｘ１，ｙ１）を含む領域であり、この座標（ｘ１，ｙ１）は図１の専用領域５ａに含まれているため、専用領域５ａを対象としてもよい。あるいは、座標（ｘ１，ｙ１）の例えば周囲１０画素の領域を対象としてもよい。すなわち、座標（ｘ１，ｙ１）を含む領域であれば、その領域の範囲については適宜設定可能とする。
【００３０】
図２において、上記の固有情報取得部およびデータ通信部としての機能は無線通信部５５により実現され、固有情報対応付け部としての機能はＣＰＵ５１により実現される。携帯端末１が画面上の座標（ｘ１，ｙ１）に接触した場合、携帯端末１の固有情報が接触座標（ｘ１，ｙ１）または座標（ｘ１，ｙ１）を含む領域に対応付けられる。この際、接触座標（ｘ１，ｙ１）または座標（ｘ１，ｙ１）を含む領域にデータが表示されていれば、無線通信部５５は、表示データまたは表示データの関連データを携帯端末１に無線を介して送信する。例えば、情報表示テーブル５に複数の画像データが表示されている場合には、接触座標（ｘ１，ｙ１）に対応する画像データを選択的に携帯端末１に送信する。また、情報表示テーブル５に地図データが表示されている場合には、接触座標（ｘ１，ｙ１）に対応する位置情報（経度，緯度）を、表示されている地図データの関連データとして選択的に携帯端末１に送信することができる。
【００３１】
また、携帯端末１の固有情報が対応付けられた接触座標（ｘ１，ｙ１）または座標（ｘ１，ｙ１）を含む領域にデータが表示されていなければ、無線通信部５５は、携帯端末１からのデータを無線を介して受信し、表示部５７は、無線通信部５５で受信したデータを座標（ｘ１，ｙ１）または座標（ｘ１，ｙ１）を含む領域に表示する。携帯端末１から情報表示テーブル５にデータを転送する場合、例えば、転送したいデータをフリック操作することで行うことができる。なお、データの送受信は、携帯端末１とその接触座標（ｘ１，ｙ１）との対応付けが完了した後に開始されるが、対応付け完了後に、データの送受信を行ってもよいか否かをユーザに確認するための確認画面を携帯端末１あるいは情報表示テーブル５に表示するようにしてもよい。
【００３２】
携帯端末１の固有情報が対応付けられた座標（ｘ１，ｙ１）または座標（ｘ１，ｙ１）を含む領域が変化する場合がある。図１の例において、会議等の出席者の人数が変更された場合には、専用領域５ａ〜５ｄの割り振りが変更される。これに伴い座標（ｘ１，ｙ１）が座標（ｘ２，ｙ２）に変化する場合がある。このような場合、ＣＰＵ５１は、携帯端末１の固有情報を、変化した後の座標（ｘ２，ｙ２）または座標（ｘ２，ｙ２）を含む領域に対応付けるようにしてもよい。これにより、携帯端末１を対応付けた座標または領域が変化した場合でも、座標または領域の変化に追従して、携帯端末１との対応付けを継続させることができるため、座標または領域が変化する度に携帯端末１との対応付けを行う必要がない。
【００３３】
ここで、情報表示テーブル５の記憶部５３は、携帯端末１の固有情報と座標（ｘ１，ｙ１）または座標（ｘ１，ｙ１）を含む領域とを対応付けた対応付け情報を記憶する。これにより、携帯端末１を座標（ｘ１，ｙ１）または座標（ｘ１，ｙ１）を含む領域から離した後であっても、携帯端末１の固有情報と座標（ｘ１，ｙ１）または座標（ｘ１，ｙ１）を含む領域との対応付けが維持される。すなわち、携帯端末１を画面上の座標（ｘ１，ｙ１）に１回接触させた後に画面から離し、再度、携帯端末１を画面上に近接させると、情報表示テーブル５が携帯端末１の固有情報を取得する。このとき、携帯端末１の対応付け情報は記憶部５３に記憶されているため、情報表示テーブル５は、画面上の座標（ｘ１，ｙ１）または座標（ｘ１，ｙ１）を含む領域に応じて、携帯端末１との間でデータ通信を行うことができる。
【００３４】
上記において、記憶部５３に対応付け情報が記憶されている場合、つまり、携帯端末１の固有情報と座標（ｘ１，ｙ１）または座標（ｘ１，ｙ１）を含む領域との対応付けが維持されている場合、ＣＰＵ５１は、座標（ｘ１，ｙ１）または座標（ｘ１，ｙ１）を含む領域と、携帯端末１以外の他の携帯端末との対応付けを禁止する。この場合、携帯端末１外の他の携帯端末を、座標（ｘ１，ｙ１）または座標（ｘ１，ｙ１）を含む領域に接触させても、他の携帯端末を座標（ｘ１，ｙ１）または座標（ｘ１，ｙ１）を含む領域に対応付けることはできないため、座標（ｘ１，ｙ１）または座標（ｘ１，ｙ１）を含む領域に応じて、他の携帯端末との間でデータ通信を行うことはできない。
【００３５】
なお、情報表示テーブル５に対する所定の操作が検知された場合、ＣＰＵ５１は、記憶部５３から対応付け情報を削除し、携帯端末１の固有情報と座標（ｘ１，ｙ１）または座標（ｘ１，ｙ１）を含む領域との対応付けを解除するようにしてもよい。具体的には、所定の操作として、例えば、情報表示テーブル５の電源をオフする、あるいは、携帯端末１を情報表示テーブル５の画面上に設けられた所定の領域に接触させる、などの操作を行うことで、座標（ｘ１，ｙ１）または座標（ｘ１，ｙ１）を含む領域と携帯端末１との対応付けを解除することができる。
【００３６】
図３は、本発明に係る携帯端末および情報表示テーブルの他の構成例を示すブロック図である。本例では、画面上の座標または座標を含む領域を対応付ける携帯端末として、図２の携帯端末１の代わりにヘッドセット６を適用した例について説明する。情報表示テーブル５の構成は図２の例と同様であるため、繰り返しの説明は省略する。ヘッドセット６は、情報表示テーブル５で再生されている音声データやマルチメディアデータ（映像および音声）に基づき音声出力するヘッドホンであり、ヘッドセット６の動作を制御するＣＰＵ６１と、各種データを記憶する記憶部６２と、集音用のマイク６３と、情報表示テーブル５との間で無線を介して通信する無線通信部６４とを備える。
【００３７】
情報表示テーブル５のＣＰＵ５１では、タッチパネル５６による接触点の座標検知と同時に、ヘッドセット６のマイク６３で接触音が集音されたタイミングと、タッチパネル５６が反応したタイミングとが同時であったか否かが判定される。ヘッドセット６が表示部５７の画面上に接触した際にマイク６３で接触音が集音される。この集音時のタイミング信号は無線通信部５５によりＣＰＵ５１に入力される。そして、ＣＰＵ５１は、両者の反応タイミングが一致した場合に、表示部５７の画面上にヘッドセット６が接触したと判定する。
【００３８】
情報表示テーブル５の無線通信部５５は、ヘッドセット６の固有情報が対応付けられた座標（ｘ１，ｙ１）または座標（ｘ１，ｙ１）を含む領域にデータが表示されている場合、その表示データの関連データをヘッドセット６に無線を介して送信する。本例の場合、表示部５７の画面上に表示されている表示データは、再生中の音声データのアイコンや、マルチメディアデータのアイコンなどであり、無線通信部５５は、これらのアイコンに関連する音声データをヘッドセット６に転送する。ヘッドセット６では、情報表示テーブル５から転送された音声データを音声出力し、これをユーザに聞かせることができる。
【００３９】
また、ヘッドセット６の記憶部６２に音声データが記憶されており、且つ、ヘッドセット６の固有情報が対応付けられた座標（ｘ１，ｙ１）または座標（ｘ１，ｙ１）を含む領域にデータ（本例では音声データのアイコン）が表示されていない場合、情報表示テーブル５の無線通信部５５は、ヘッドセット６からの音声データを無線を介して受信し、表示部５７は、無線通信部５５で受信した音声データに応じたアイコンを座標（ｘ１，ｙ１）または座標（ｘ１，ｙ１）を含む領域に表示する。
【００４０】
図４は、本発明に係る情報表示装置の他の例を示す図である。本例では、情報表示装置として、図１の情報表示テーブル５の代わりに情報表示ボード７を適用した場合について説明する。図４（Ａ）に示すように、情報表示ボード７は、不特定多数のユーザ、あるいは、特定のユーザに対する連絡事項等のデータを掲示する電子掲示板である。この情報表示ボード７は、図４（Ｂ）に示すように、ＣＰＵ７１、座標検知部７２、記憶部７３、表示ドライバ７４、無線通信部７５、タッチパネル７６、および表示部７７を備え、情報表示テーブル５と基本的な構成は同様であるが、ここでは表示画面を複数の領域に分割せず、１つの表示画面としている。
【００４１】
携帯端末１が座標（ｘ１，ｙ１）に接触した場合、無線通信部７５は、携帯端末１の固有情報が対応付けられた座標（ｘ１，ｙ１）または座標（ｘ１，ｙ１）を含む領域に表示されているデータを携帯端末１に無線を介して送信する。例えば、情報表示ボード７に複数の画像データ７ａ〜７ｄが表示されている場合には、接触座標（ｘ１，ｙ１）に対応する画像データ７ａを選択的に携帯端末１に送信する。また、情報表示ボード７に地図データが表示されている場合には、接触座標（ｘ１，ｙ１）に対応する位置情報（経度，緯度）を、表示されている地図データの関連データとして選択的に携帯端末１に送信する。
【００４２】
また、携帯端末２は座標（ｘ２，ｙ２）または座標（ｘ２，ｙ２）を含む領域７ｅに対応付けられている。そして、携帯端末２が対応付けられた座標（ｘ２，ｙ２）または座標（ｘ２，ｙ２）を含む領域７ｅにはデータが表示されていない。このため情報表示ボード７は、携帯端末２からのデータを無線を介して受信し、受信したデータを座標（ｘ２，ｙ２）または座標（ｘ２，ｙ２）を含む領域に表示する。携帯端末２から情報表示ボード７にデータを転送する場合、例えば、転送したいデータをフリック操作することで行うことができる。なお、データの送受信は、携帯端末１，２とその接触座標（ｘ１，ｙ１）、（ｘ２，ｙ２）との対応付けが完了した後に開始されるが、対応付け完了後に、データの送受信を行ってもよいか否かをユーザに確認するための確認画面を携帯端末１，２あるいは情報表示ボード７に表示するようにしてもよい。
【００４３】
図５は、本発明に係る情報表示テーブルと携帯端末とのデータ連携方法の一例を説明するためのフロー図である。本例では図２に示した装置構成に基づいて、図１の座標（ｘ１，ｙ１）を含む専用領域５ａと携帯端末１とを対応付ける場合について説明する。まず、情報表示テーブル５は、携帯端末１の接近を検知していない場合には待機状態とする（ステップＳ１）。そして、情報表示テーブル５は、情報表示テーブル５に近接した携帯端末１から携帯端末１の固有情報（例えば、ＭＡＣアドレス）を取得する（ステップＳ２）。
【００４４】
次に、情報表示テーブル５は、表示部５７の画面上に携帯端末１が物理的に接触すると（ステップＳ３）、タッチパネル５６により接触点の座標（ｘ１，ｙ１）を検知する（ステップＳ４）。次に、情報表示テーブル５は、携帯端末１の加速度センサ１３の反応タイミングと、情報表示テーブル５のタッチパネル５６の反応タイミングとが同時か否かを判定し（ステップＳ５）、加速度センサ１３とタッチパネル５６の反応タイミングが同時ではないと判定した場合（ＮＯの場合）、接触した機器は携帯端末ではないと判定し、ステップＳ１に戻り、待機状態に移行する。
【００４５】
また、ステップＳ５において、加速度センサ１３とタッチパネル５６の反応タイミングが同時と判定した場合（ＹＥＳの場合）、接触した機器は携帯端末であると判定し、情報表示テーブル５の動作モードが全画面モードであるか、専用領域モードであるかを判定する（ステップＳ６）。動作モードが専用領域モードであると判定した場合（図中、専用領域モードの場合）、ステップＳ４で検知した座標（ｘ１，ｙ１）を含む専用領域５ａと携帯端末１の固有情報とを対応付ける（ステップＳ７）。そして、情報表示テーブル５は、携帯端末１の固有情報が対応付けられた専用領域５ａに応じて、携帯端末１との間でデータ通信を行う（ステップＳ８）。
【００４６】
ここで、ステップＳ８において、情報表示テーブル５は、専用領域５ａにデータが表示されている場合には、表示データまたは表示データの関連データを携帯端末１に送信する。また、情報表示テーブル５は、専用領域５ａにデータが表示されていない場合には、携帯端末１からデータを受信し、受信したデータを専用領域５ａに表示させることができる。
【００４７】
また、ステップＳ６において、動作モードが全画面モードであると判定した場合（図中、全画面モードの場合）、携帯端末１の接触箇所がアプリ領域であるか、背景領域であるかを判定する（ステップＳ９）。接触箇所が背景領域であると判定した場合（図中、背景領域の場合）、ステップＳ４で検知した座標（ｘ１，ｙ１）を含む背景領域と携帯端末１の固有情報とを対応付ける（ステップＳ１０）。そして、情報表示テーブル５は、携帯端末１の固有情報が対応付けられた背景領域に応じて、携帯端末１との間でデータ通信を行う（ステップＳ１１）。
【００４８】
また、ステップＳ９において、携帯端末１の接触箇所がアプリ領域であると判定した場合（図中、アプリ領域の場合）、ステップＳ４で検知した座標（ｘ１，ｙ１）を含むアプリ領域と携帯端末１の固有情報とを対応付ける（ステップＳ１２）。そして、情報表示テーブル５は、携帯端末１の固有情報が対応付けられたアプリ領域に応じて、携帯端末１との間でデータ通信を行う（ステップＳ１３）。
【００４９】
前述したように、情報表示テーブル５を用いて複数人で会議等を行っている際に、出席者の人数が変化した場合、上記の専用領域もこれに追従して再設定される。本例の場合、携帯端末１の固有情報が対応付けられた座標（ｘ１，ｙ１）を含む専用領域が再設定される。再設定により専用領域が変化した場合、ＣＰＵ５１は、携帯端末１の固有情報を、変化した後の専用領域に対応付ける。このように、携帯端末１を対応付けた座標を含む専用領域が変化した場合でも、専用領域の変化に追従して、携帯端末１との対応付けを継続させることができる。
【００５０】
また、情報表示テーブル５の記憶部５３は、携帯端末１の固有情報と座標（ｘ１，ｙ１）を含む領域とを対応付けた対応付け情報を記憶する。これにより、携帯端末１を、座標（ｘ１，ｙ１）を含む領域から離した後であっても、携帯端末１の固有情報と座標（ｘ１，ｙ１）を含む領域との対応付けが維持される。また、記憶部５３に対応付け情報が記憶されている場合、ＣＰＵ５１は、携帯端末１の固有情報が対応付けられた座標（ｘ１，ｙ１）を含む領域と、携帯端末１以外の他の携帯端末との対応付けを禁止する。
【００５１】
なお、情報表示テーブル５に対する所定の操作が検知された場合、ＣＰＵ５１は、記憶部５３から対応付け情報を削除し、携帯端末１の固有情報と座標（ｘ１，ｙ１）を含む領域との対応付けを解除する。具体的には、所定の操作として、例えば、情報表示テーブル５の電源をオフする、あるいは、携帯端末１を情報表示テーブル５の画面上に設けられた所定の領域に接触させる、などの操作を行うことで、座標（ｘ１，ｙ１）を含む領域と携帯端末１との対応付けを解除する。
【００５２】
図６は、本発明に係る情報表示ボードと携帯端末とのデータ連携方法の一例を説明するためのフロー図である。本例では、図４（Ｂ）の装置構成に基づいて、図４（Ａ）の座標（ｘ１，ｙ１）または座標（ｘ２，ｙ２）と携帯端末１とを対応付ける場合について説明する。まず、情報表示ボード７は、携帯端末１の接近を検知していない場合には待機状態とする（ステップＳ２１）。そして、情報表示ボード７は、情報表示ボード７に近接した携帯端末１から携帯端末１の固有情報（例えば、ＭＡＣアドレス）を取得する（ステップＳ２２）。
【００５３】
次に、情報表示ボード７は、表示部７７の画面上に携帯端末１が物理的に接触すると（ステップＳ２３）、タッチパネル７６により接触点の座標を検知する（ステップＳ２４）。次に、情報表示ボード７は、携帯端末１の加速度センサ１３の反応タイミングと、情報表示ボード７のタッチパネル７６の反応タイミングとが同時か否かを判定し（ステップＳ２５）、加速度センサ１３とタッチパネル７６の反応タイミングが同時ではないと判定した場合（ＮＯの場合）、ステップＳ２１に戻り待機状態に移行する。
【００５４】
また、ステップＳ２５において、加速度センサ１３とタッチパネル７６の反応タイミングが同時と判定した場合（ＹＥＳの場合）、携帯端末１が接触した座標に連絡事項またはマルチメディアコンテンツ等のデータが表示されているか否かを判定する（ステップＳ２６）。ここで、携帯端末１が接触した座標に連絡事項またはマルチメディアコンテンツ等のデータが表示されていると判定した場合（ＹＥＳの場合）、データが表示されている接触座標（ここでは座標（ｘ１，ｙ１））と携帯端末１の固有情報とを対応付ける（ステップＳ２７）。そして、情報表示ボード７は、携帯端末１の固有情報が対応付けられた接触座標（ｘ１，ｙ１）に応じて、携帯端末１との間でデータ通信（データ送信）を行う（ステップＳ２８）。
【００５５】
上記において、ステップＳ２７では、携帯端末１が座標（ｘ１，ｙ１）に接触すると、携帯端末１と座標（ｘ１，ｙ１）との対応付けが行われる。そして、ステップＳ２８では、情報表示ボード７は、携帯端末１の固有情報が対応付けられた座標（ｘ１，ｙ１）に表示されているデータを携帯端末１に無線を介して送信する。前述の図４の例の場合、情報表示ボード７に表示されている複数の画像データ７ａ〜７ｄのうち接触座標（ｘ１，ｙ１）に対応する画像データ７ａが選択的に携帯端末１に送信される。
【００５６】
また、ステップＳ２６において、携帯端末１が接触した座標に連絡事項またはマルチメディアコンテンツ等のデータが表示されていないと判定した場合（ＮＯの場合）、データが表示されていない接触座標（ここでは座標（ｘ２，ｙ２））と携帯端末１の固有情報とを対応付ける（ステップＳ２９）。そして、情報表示ボード７は、携帯端末１の固有情報が対応付けられた接触座標（ｘ２，ｙ２）に応じて、携帯端末１との間でデータ通信（データ受信）を行う（ステップＳ３０）。
【００５７】
上記において、ステップＳ２９では、携帯端末１が座標（ｘ２，ｙ２）に接触すると、携帯端末１と座標（ｘ２，ｙ２）との対応付けが行われる。そして、ステップＳ３０では、前述の図４（Ａ）に例示したように、座標（ｘ２，ｙ２）を含む領域７ｅにはデータが表示されていないため、情報表示ボード７は、携帯端末１からのデータを無線を介して受信し、受信したデータを座標（ｘ２，ｙ２）を含む領域７ｅに表示する。
【符号の説明】
【００５８】
１〜４…携帯端末、５…情報表示テーブル、５ａ〜５ｄ…専用領域、６…ヘッドセット（携帯端末）、７…情報表示ボード、１１，５１，６１，７１…ＣＰＵ、１２，５３，６２，７３…記憶部、１３…加速度センサ、１４，５５，６４，７５…無線通信部、５６，７６…タッチパネル、６３…マイク。
【図１】
2013130982.tif 000003
【図２】
2013130982.tif 000004
【図３】
2013130982.tif 000005
【図４】
2013130982.tif 000006
【図５】
2013130982.tif 000007
【図６】
2013130982.tif 000008